(57)【要約】      （修正有）【課題】ウエハ乾燥時のパターン崩壊を防ぐ処理方法及び装置の提供【解決手段】ウエハＷを保持する回転チャック１０と、ウェハを加熱する加熱アセンブリ５０と、ウエハ表面に液体を吐出する液体ディスペンサを備える。加熱アセンブリは、少なくとも５つの個々に制御可能な放射加熱素子のアレイを備える。液体ディスペンサは、放出点を回転チャックの中央領域から周辺領域に移動させるように構成された１つ以上のスイングアーム３０を備える。制御装置は、液体ディスペンサの放出点の位置に基づいて、少なくとも５つの個々に制御可能な放射加熱素子群の各々に供給される電力を制御する。【選択図】図２
2017224807.tif 000002
【特許請求の範囲】
【請求項１】
ウエハ形状の物品を処理するための装置であって、
所定の直径のウエハ形状の物品をその上に保持するように適合された回転チャックと、
前記回転チャック上に設置されるときにウエハ形状の物品に面する加熱アセンブリであって、各々が前記回転チャックのより中央領域から前記回転チャックのより周辺領域に広がるそれぞれ異なる区域を占有する少なくとも５の個々に制御可能な群の間に分配された放射加熱素子のアレイを備える、加熱アセンブリと、
ウエハ形状の物品の表面上に液体を吐出するように設置され、前記回転チャック上に設置されるときに前記加熱アセンブリから離れて面する液体ディスペンサであって、放出点を前記回転チャックのより中央領域から前記回転チャックのより周辺領域に移動させるように構成された１つ以上の分注口を備える、液体ディスペンサと、
前記液体ディスペンサの前記放出点の位置に基づいて、前記少なくとも５の個々に制御可能な放射加熱素子群の各々に供給される電力を制御する制御装置と、
を備える、装置。
【請求項２】
請求項１に記載の装置であって、
前記少なくとも５の個々に制御可能な放射加熱素子群は、少なくとも１０の個々に制御可能な放射加熱素子群を備える、装置。
【請求項３】
請求項１に記載の装置であって、
前記少なくとも５の個々に制御可能な放射加熱素子群は、少なくとも１５の個々に制御可能な放射加熱素子群を備える、装置。
【請求項４】
請求項１に記載の装置であって、
前記少なくとも５の個々に制御可能な放射加熱素子群は、少なくとも２０の個々に制御可能な放射加熱素子群を備える、装置。
【請求項５】
請求項１に記載の装置であって、
前記放射加熱素子は、ＬＥＤ加熱素子である、装置。
【請求項６】
請求項５に記載の装置であって、
前記ＬＥＤ加熱素子は、３８０ｎｍから６５０ｎｍの波長範囲の最大強度を有する放射を放出する、装置。
【請求項７】
請求項５に記載の装置であって、
前記ＬＥＤ加熱素子は、３８０ｎｍから６５０ｎｍの波長範囲の放射を放出する、装置。
【請求項８】
請求項１に記載の装置であって、
前記加熱アセンブリは、前記チャック上に保持されたウエハ形状の物品を片側のみから前記ウエハ形状の物品に接触することなく加熱するように、前記チャックに対して設置される、装置。
【請求項９】
請求項１に記載の装置であって、
前記加熱アセンブリは、前記回転チャックを覆い、前記回転チャックと、前記回転チャックに取り付けられるときに前記回転チャックに面するウエハ形状の物品の表面との間に設置される、装置。
【請求項１０】
請求項９に記載の装置であって、
前記液体ディスペンサは、前記回転チャックに対して前記回転チャックのより中央領域から前記回転チャックのより周辺領域に移動可能なアームを備える、装置。
【請求項１１】
請求項１に記載の装置であって、さらに、
前記放射加熱素子によって放出された放射に対して透過的な板を備え、
前記板は、前記スピンチャックとの回転のために取り付けられ、前記スピンチャック上に設置されるときに前記少なくとも加熱アセンブリとウエハ形状の物品との間に設置される、装置。
【請求項１２】
請求項１１に記載の装置であって、
前記板は、石英またはサファイア製である、装置。
【請求項１３】
請求項１に記載の装置であって、
前記少なくとも５の個々に制御可能な放射加熱素子群の各々は、前記回転チャック上に設置されるときに、少なくとも２Ｗ／ｃｍ2の電力強度をウエハ形状の物品に印加できる、装置。
【請求項１４】
請求項１に記載の装置であって、
前記少なくとも５の個々に制御可能な放射加熱素子群の各々は、前記回転チャック上に設置されるときに、少なくとも４Ｗ／ｃｍ2の電力強度をウエハ形状の物品に印加できる、装置。
【請求項１５】
請求項１に記載の装置であって、
前記少なくとも５の個々に制御可能な放射加熱素子群は、前記回転チャックの回転軸に対して同心円状に配置される、装置。
【請求項１６】
請求項１に記載の装置であって、
前記制御装置は、前記少なくとも５の個々に制御可能な群の１つと軸方向に並んでいる前記液体ディスペンサの前記放出点に応じて、全電力を前記少なくとも５の個々に制御可能な群の前記１つに供給するように構成される、装置。
【請求項１７】
請求項１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群の別の１つに、前記全電力より少ない内部中間電力を供給するように構成される、装置。
【請求項１８】
請求項１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向外向きである前記少なくとも５の個々に制御可能な群の別の１つに、前記全電力より少ない外部中間電力を供給するように構成される、装置。
【請求項１９】
請求項１８に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群のさらに別の１つに、前記全電力より少ない内部中間電力を供給するように構成され、
前記外部中間電力は、前記内部中間電力より大きい、装置。
【請求項２０】
請求項１に記載の装置であって、
前記加熱アセンブリは、前記所定の直径のウエハ形状の物品と実質的に同一の広がりを持つ発光ダイオードのアレイを備える、装置。
【請求項２１】
請求項１に記載の装置であって、
前記回転チャックは、中央固定支柱を取り囲む回転可能なチャック本体を備え、
前記加熱アセンブリは、前記中央固定支柱の上端に取り付けられる、装置。
【発明の詳細な説明】
【技術分野】
【０００１】
本発明は一般に、半導体ウエハなどのウエハ形状の物品を開放または密閉処理チャンバ内で処理するための方法および装置に関する。
【背景技術】
【０００２】
半導体ウエハは、エッチング、洗浄、研磨、および材料堆積などの様々な表面処理工程を経る。かかる工程に対応するため、単一ウエハは、回転可能なキャリアと関連するチャックによって１つ以上の処理流体ノズルに対して支持されてよい。このことは、例えば、米国特許第４，９０３，７１７号および第５，５１３，６６８号に記載されている。
【０００３】
あるいは、ウエハを支持するように適合されたリングロータ形式のチャックが、密閉処理チャンバ内に設置され、能動型磁気軸受を介して物理的な接触なしに駆動されてよい。このことは、例えば、国際公開公報ＷＯ２００７／１０１７６４号および米国特許第６，４８５，５３１号に記載されている。遠心作用により回転するウエハのエッジから外向きに流れる処理流体は、廃棄のために共通ドレインに送られる。
【０００４】
かかるウエハ上に形成されたデバイスフィーチャが、そのレイアウト寸法を減少し続け、それに伴ってそれらデバイスフィーチャのアスペクト比が増加するにつれて、また、かかるウエハの直径が増加し続けるにつれて、ウエハ乾燥時のパターン崩壊現象は、ますます問題になる。パターン崩壊を防ぐ既存の技術は、限定的な効果である。
【発明の概要】
【０００５】
ある態様では、本発明は、ウエハ形状の物品を処理するための装置に関し、所定の直径のウエハ形状の物品をその上に保持するように適合された回転チャックを備える。この装置は、回転チャック上に設置されたときにウエハ形状の物品に面する加熱アセンブリと、ウエハ形状の物品の表面上に液体を施すように設置され、回転チャック上に設置されたときに加熱アセンブリから離れて面する液体ディスペンサとを備える。加熱アセンブリは、少なくとも５の個々に制御可能な群の間に分配される放射加熱素子のアレイを含み、各々は、回転チャックのより中央領域から回転チャックのより周辺領域に広がるそれぞれ異なる区域を占有する。液体ディスペンサは、放出点を回転チャックのより中央領域から回転チャックのより周辺領域に移動させるように構成された１つ以上の分注口を備える。制御装置は、液体ディスペンサの放出点の位置に基づいて、少なくとも５の個々に制御可能な放射加熱素子群の各々に供給される電力を制御する。
【０００６】
本発明による装置の好ましい実施形態では、少なくとも５の個々に制御可能な放射加熱素子群は、少なくとも１０の個々に制御可能な放射加熱素子群を備える。
【０００７】
本発明による装置の好ましい実施形態では、少なくとも５の個々に制御可能な放射加熱素子群は、少なくとも１５の個々に制御可能な放射加熱素子群を備える。
【０００８】
本発明による装置の好ましい実施形態では、少なくとも５の個々に制御可能な放射加熱素子群は、少なくとも２０の個々に制御可能な放射加熱素子群を備える。
【０００９】
本発明による装置の好ましい実施形態では、放射加熱素子は、ＬＥＤ加熱素子である。
【００１０】
本発明による装置の好ましい実施形態では、ＬＥＤ加熱素子は、３８０ｎｍから６５０ｎｍの波長範囲の最大強度を有する放射を放出する。
【００１１】
本発明による装置の好ましい実施形態では、ＬＥＤ加熱素子は、３８０ｎｍから６５０ｎｍの波長範囲の放射を放出する。
【００１２】
本発明による装置の好ましい実施形態では、加熱アセンブリは、チャック上に保持されたウエハ形状の物品を片側のみからウエハ形状の物品に接触することなく加熱するように、チャックに対して設置される。
【００１３】
本発明による装置の好ましい実施形態では、加熱アセンブリは、回転チャックを覆い、回転チャックと、回転チャックに取り付けられるときに回転チャックに面するウエハ形状の物品の表面との間に設置される。
【００１４】
本発明による装置の好ましい実施形態では、液体ディスペンサは、回転チャックに対して回転チャックのより中央領域から回転チャックのより周辺領域に移動可能なアームを備える。
【００１５】
本発明による装置の好ましい実施形態では、放射加熱素子によって放出された放射に対して透過的な板は、スピンチャックとの回転のために取り付けられ、スピンチャック上に設置されるときに加熱アセンブリとウエハ形状の物品との間に設置される。
【００１６】
本発明による装置の好ましい実施形態では、板は、石英またはサファイア製である。
【００１７】
本発明による装置の好ましい実施形態では、少なくとも５の個々に制御可能な放射加熱素子群の各々は、回転チャック上に設置されるときに、少なくとも２Ｗ／ｃｍ2の電力強度をウエハ形状の物品に印加できる。
【００１８】
本発明による装置の好ましい実施形態では、少なくとも５の個々に制御可能な放射加熱素子群の各々は、回転チャック上に設置されるときに、少なくとも４Ｗ／ｃｍ2の電力強度をウエハ形状の物品に印加できる。
【００１９】
本発明による装置の好ましい実施形態では、少なくとも５の個々に制御可能な放射加熱素子群は、回転チャックの回転軸に対して同心円状に配置される。
【００２０】
本発明による装置の好ましい実施形態では、制御装置は、少なくとも５の個々に制御可能な群の１つと軸方向に並んでいる液体ディスペンサの放出点に応じて、全電力を少なくとも５の個々に制御可能な群の１つに供給するように構成される。
【００２１】
本発明による装置の好ましい実施形態では、制御装置は、少なくとも５の個々に制御可能な群の１つと軸方向に並んでいる液体ディスペンサの放出点に応じて、少なくとも５の個々に制御可能な群の１つに隣接して半径方向内向きである少なくとも５の個々に制御可能な群の別の１つに、全電力より少ない内部中間電力を供給するように構成される。
【００２２】
本発明による装置の好ましい実施形態では、制御装置は、少なくとも５の個々に制御可能な群の１つと軸方向に並んでいる液体ディスペンサの放出点に応じて、少なくとも５の個々に制御可能な群の１つに隣接して半径方向外向きである少なくとも５の個々に制御可能な群のさらに別の１つに、全電力より少ない外部中間電力を供給するように構成される。
【００２３】
本発明による装置の好ましい実施形態では、外部中間電力は、内部中間電力より大きい。
【００２４】
本発明による装置の好ましい実施形態では、加熱アセンブリは、所定の直径のウエハ形状の物品と実質的に同一の広がりを持つ発光ダイオード（ＬＥＤ）のアレイを備える。
【００２５】
本発明による装置の好ましい実施形態では、回転チャックは、中央固定支柱を取り囲む回転可能なチャック本体を備え、加熱アセンブリは、中央固定支柱の上端に取り付けられる。
【００２６】
別の態様では、本発明は、本明細書で述べられる方法における１つ以上の前述の特徴を有する装置の使用を含む、ウエハ形状の物品を処理するための方法に関する。
【図面の簡単な説明】
【００２７】
本発明の他の対象、特徴、および利点は、添付の図面に関連して提供された以下の本発明の好ましい実施形態の詳細な説明を読んだ後により明らかになるだろう。
【００２８】
【図１】パターン崩壊現象の例示図。
【図２】本発明の第１の実施形態による装置の平面図。
【図３】図２の線ＩＩＩ−ＩＩＩに沿った断面図。
【図４】図３の細部ＩＶの拡大図。
【図５】本実施形態の加熱アセンブリの平面図。
【図６】図１〜５の実施形態を用いるための好ましい処理条件を示す図。
【図７】使用位置における本発明の第２の実施形態による装置を示す図。
【図８】ロード位置およびアンロード位置における図７の実施形態を示す図。
【発明を実施するための形態】
【００２９】
図１を参照すると、半導体ウエハ２上に形成されたデバイスフィーチャ１は、ドープシリコンのフィン、または、半導体装置の製造で形成されるもしくは用いられる他の構成もしくは材料であってよい。処理時に、ウエハ２は、通常、最初に水を用いて、次に図１ａにおいてフィン１を取り囲む３で示されているイソプロピルアルコールＩＰＡを用いてリンスされる。ウエハが乾燥されるにつれてＩＰＡ３は蒸発するが、ＩＰＡ３は、表面張力およびフィン１の高アスペクト比のためフィン間の空間からよりゆっくりと一掃され、図１ｂのＭで示されるメニスカスの形成をもたらす。ウエハの乾燥が継続するにつれて、ＩＰＡ３の表面張力は、図１ｃに示されるようにフィン１を互いに向かって引き寄せ、関連する半導体デバイスの正確な性能を損ねるまたは阻む可能性がある。
【００３０】
パターン崩壊現象を軽減するための従来の技術には、脱イオン水より低い表面張力を有するリンス液の使用が含まれ、ＩＰＡがその主な選択であるが、高温でのかかるリンス液の使用技術は、上述のように、パターン崩壊を低減させるのに限定的な効果を有する。
【００３１】
本発明は、移動する前部に沿った急速なウエハの局所加熱がリンス液を十分急速に蒸発させるのに役立ちうるため、図１ｂに示されるメニスカスが形成されないこと、およびそれに伴う図１ｃに示されたパターン崩壊が回避されることを発見した。
【００３２】
図２は、その発見を実施するように設計された装置の第１の実施形態を示し、スピンチャック１０が、所定の直径（例えば、３００ｍｍまたは４５０ｍｍ）のウエハＷを保持して回転させるように設計されている。ウエハＷは、本実施形態では６個ある円形列の把持ピン１６によって保持される。ピン１６は、石英またはサファイア製の透明板２５の開口部を貫通する。板２５は、ねじ２６によってチャック１０に固定され、チャック１０と共に回転する。ウエハＷがチャック上に設置されるときに、ウエハの下面が板２５と平行になり、そこからわずかな隙間をもって離間するように、板２５の上方に保持される。
【００３３】
透明板２５の下には放射加熱アセンブリ５０が取り付けられており、以下に詳細に説明される。
【００３４】
チャック１０に隣接して、ブームスイングアーム３０が、その駆動モータ３４の周りを枢軸運動するために取り付けられる。アーム３０は、その排出ノズル３２を通じて下向きに排出される処理液および／またはリンス液を供給される。ブームスイングアーム３０は、図２の実線で示される待機位置と破線で示される中心位置との間で移動可能である。そのため排出ノズル３２は、ウエハＷの全半径を走査でき、ウエハＷがチャック１０によって回転されるときに、上向きの表面全体に液体を分注できる。
【００３５】
図３に移ると、回転チャック１０が下部チャック本体１２と上部チャック本体１４とで構成され、それらは互いに固定されて、固定中央支柱２０の周りを回転するように軸支されていることがわかる。また、本実施形態ではピン１６および透明板２５もチャック１０と共に回転し、これら後者の底部に設けられたギア歯を介して把持ピン１６の各々と連続的な噛合い係合にあるリングギア１８も回転する。リングギア１８は、限定的な範囲でチャック１０に対して回転し、それによってピン１６をそれらそれぞれの軸の周りに回転させ、自体公知の方法で最上偏心把持位置をそれらの開位置と閉位置との間で動かすこともできる。
【００３６】
固定支柱２０は、ステータ４４と同様に装置の機枠４０に取り付けられるが、ロータ４２は下部チャック本体１２に固定され、ステータ４４およびロータ４２は、チャック１０を回転させる磁気モータを構成する。全チャック構造のさらなる詳細は、例えば、所有者が共通の米国特許第９，２４５，７７７号に記載されている。
【００３７】
本実施形態の放射加熱アセンブリ５０は、固定支柱２０に取り付けられるため回転しないが、要素２５、１４、１６を備えるチャックの回転構造に囲まれている。本実施形態の放射加熱アセンブリ５０は、透明板２５に面して取り付けられた多数の青色ＬＥＤ５１と、制御装置５２（例えば、加熱アセンブリ５０の裏面に取り付けられた内蔵制御装置（図示せず））とを備える。制御装置５２は、青色ＬＥＤのオンオフだけでなく電力も制御し、またブームスイングアーム３０のモータ３４と無線で通信する。
【００３８】
図４に示されるように、放射加熱アセンブリ５０は、ロウ付け接合されている上部片５４および下部片５５からなるアルミニウム基板で構成され、アルミニウム基板は、青色ＬＥＤ素子５１の下の構造の過度の加熱を防ぐヒートシンクとして働く。プリント回路板５３は、ＬＥＤ素子の配線が形成され、ＬＥＤ素子５１が取り付けられる上部片５４の上に取り付けられる。
【００３９】
内蔵チップ５６は、下部片５５の裏側に固定されたプリント回路板６０の上に取り付けられる。内臓チップ５６の出力ピンとプリント回路板５３上に形成された配線の入力端末とを相互接続する配線５８は、アルミニウム基板５３および５４を貫通するポケット５７に収容される。
【００４０】
図５に示されるように、本実施形態のプリント回路板５３は、コネクタ５９によって結合される４つのクアドラントに形成される。ＬＥＤ素子５１は、１６の群に形成される、すなわち、内蔵チップ５６およびそれらのチップからプリント回路板５３への接続の配置は、内蔵制御装置５２と連動して、ＬＥＤが１６ほど少ない群において個々に電力供給されるのを可能にする。
【００４１】
図５では、ＬＥＤ５１が２０の同心円状に配置され、各円のＬＥＤの数が１６の倍数であることがわかるだろう。そのため、各同心円は、上述の配置によって別々の加熱帯として個々に制御されうる。
【００４２】
青色ＬＥＤランプ５１は、約４５０ｎｍの波長に最大強度を有する。他の放射源が用いられてもよいが、３９０ｎｍから５５０ｎｍの波長範囲において最大強度を有する放射を放出する源を用いることが好ましく、４００ｎｍから５００ｎｍの波長範囲におけることがより好ましい。
【００４３】
この波長特性の放射は、大部分が板２５によって透過されるが、同じ放射は、特にウエハＷがシリコンの場合、大部分がウエハＷの半導体材料によって吸収される。
【００４４】
この配置は、有害なメニスカスが形成する前にリンス液の蒸発を引き起こす方法で、非常に急速なウエハＷの局所加熱を可能にする。例えば、各ＬＥＤ５１は、１０Ｗの消費電力であってよく、ほぼ瞬時に生成されうる３Ｗの光電力を提供する。さらに、所望されるときに、例えば、自体公知の方法で、選択されたＬＥＤ５１への電力供給を例えば５００Ｈｚでパルス化することによって、より少ない光電力が選択されたＬＥＤ５１のために生成されうる。
【００４５】
図６ａおよび６ｂは、本実施形態の装置の好ましい動作例を示す。ウエハＷは、図６ｂの横座標が領域の数およびウエハの中心からエッジの半径距離を表すように、加熱アセンブリ５０の個々に制御可能な同心円領域の数に対応する、１、２、３、４、・・・ＮのＮ領域に分割されると考えられうる。
【００４６】
図６ａに示される領域Ａでは、液体ＬはウエハＷの表面上に残り、この例ではイソプロピルアルコール（ＩＰＡ）である液体Ｌを、高温だがウエハＷの尚早な乾燥を引き起こさない温度に加熱することが目的である。その温度は、図６ｂの縦座標に示されるレベル２に維持されている領域４からＮにおけるヒータの熱流束に対応する。
【００４７】
一方、放射加熱アセンブリ５０の領域３に対応する領域Ｂでは、上述のようにパターン崩壊を回避するため、近接するデバイスフィーチャ間にメニスカスがない（すなわち、平坦または９０°のメニスカス）ように十分に高いＩＰＡの蒸発率をもたらすように、ウエハＷの温度は実質的に上昇される。ヒータゾーン１および２に対応する領域Ｃ内では、既に乾燥されたウエハは、リンス液の完全な蒸発を確保し、乾燥されたウエハの表面上への結露を防ぐために、低くなったがまだ高い温度で維持される。
【００４８】
加熱アセンブリの様々な同心円領域に供給された電力の制御は、リンス液の放出ノズル３２の放射位置に対応するため、制御装置５２は、放出ノズルの放射位置に基づいて関係領域のＬＥＤ５１への電力供給を制御することがわかるだろう。
【００４９】
図７および８は別の実施形態を示しており、チャックは、密閉チャンバ８０内に配置された磁気リングロータ７０であって、チャンバ８０の外側に配置されたステータ７２によって回転される。ウエハＷは、リングロータ７０から下向きに突出する把持要素によって保持される。
【００５０】
チャンバ８０は、図８に示されるように、ウエハＷの搭載および取り出しのために開放されうる。加熱アセンブリ５０’は、ハウジング８０の下部に組み込まれ、本実施形態では透明板２５’が固定されて磁気ロータ７０と共に回転しないこと以外は、一般に前述の実施形態と関連して説明されるものと同様である。
【００５１】
さらに、本実施形態では、放射状に可動な液体ディスペンサ３０の代わりに、マニホルド７３によって供給される一連の固定液体分注ノズル７４が設けられる。リンス液は、前述の実施形態のブームスイングアーム３０の分注動作に近づくように、最も中心部から始まり続いて最も周辺部のこれらノズル７４に順次供給されうる。そのため、この場合、制御装置５２は、どのノズル７４が液体を分散していたかに基づいて、選ばれた群のＬＥＤ５１への電力供給を制御するだろう。
【００５２】
本発明が、その様々な好ましい実施形態と関連して説明されてきたが、それらの実施形態は、本発明を例証するためだけに提供されていることと、本発明がそれらの実施形態に限定されるのではなく、むしろ添付の特許請求の真の範囲と精神によって包含されることを理解されたい。
【図１】
2017224807.tif 000003
【図２】
2017224807.tif 000004
【図３】
2017224807.tif 000005
【図４】
2017224807.tif 000006
【図５】
2017224807.tif 000007
【図６】
2017224807.tif 000008
【図７】
2017224807.tif 000009
【図８】
2017224807.tif 000010
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ウエハ形状の物品を処理するための装置であって、
所定の直径のウエハ形状の物品をその上に保持するように適合された回転チャックと、
前記回転チャック上に設置されるときにウエハ形状の物品に面する加熱アセンブリであって、各々が前記回転チャックのより中央領域から前記回転チャックのより周辺領域に広がるそれぞれ異なる区域を占有する少なくとも５の個々に制御可能な群の間に分配された放射加熱素子のアレイを備える、加熱アセンブリと、
ウエハ形状の物品の表面上に液体を吐出するように設置され、前記回転チャック上に設置されるときに前記加熱アセンブリから離れて面する液体ディスペンサであって、放出点を前記回転チャックのより中央領域から前記回転チャックのより周辺領域に移動させるように構成された１つ以上の分注口を備える、液体ディスペンサと、
前記液体ディスペンサの前記放出点の位置に基づいて、前記少なくとも５の個々に制御可能な放射加熱素子群の各々に供給される電力を制御する制御装置と、
を備える、装置。
【請求項２】
請求項１に記載の装置であって、
前記少なくとも５の個々に制御可能な放射加熱素子群は、少なくとも１０の個々に制御可能な放射加熱素子群を備える、装置。
【請求項３】
請求項１に記載の装置であって、
前記少なくとも５の個々に制御可能な放射加熱素子群は、少なくとも１５の個々に制御可能な放射加熱素子群を備える、装置。
【請求項４】
請求項１に記載の装置であって、
前記少なくとも５の個々に制御可能な放射加熱素子群は、少なくとも２０の個々に制御可能な放射加熱素子群を備える、装置。
【請求項５】
請求項１に記載の装置であって、
前記放射加熱素子は、ＬＥＤ加熱素子である、装置。
【請求項６】
請求項５に記載の装置であって、
前記ＬＥＤ加熱素子は、３８０ｎｍから６５０ｎｍの波長範囲の最大強度を有する放射を放出する、装置。
【請求項７】
請求項５に記載の装置であって、
前記ＬＥＤ加熱素子は、３８０ｎｍから６５０ｎｍの波長範囲の放射を放出する、装置。
【請求項８】
請求項１に記載の装置であって、
前記加熱アセンブリは、前記チャック上に保持されたウエハ形状の物品を片側のみから前記ウエハ形状の物品に接触することなく加熱するように、前記チャックに対して設置される、装置。
【請求項９】
請求項１に記載の装置であって、
前記加熱アセンブリは、前記回転チャックを覆い、前記回転チャックと、前記回転チャックに取り付けられるときに前記回転チャックに面するウエハ形状の物品の表面との間に設置される、装置。
【請求項１０】
請求項９に記載の装置であって、
前記液体ディスペンサは、前記回転チャックに対して前記回転チャックのより中央領域から前記回転チャックのより周辺領域に移動可能なアームを備える、装置。
【請求項１１】
請求項１に記載の装置であって、さらに、
前記放射加熱素子によって放出された放射に対して透過的な板を備え、
前記板は、前記回転チャックとの回転のために取り付けられ、前記回転チャック上に設置されるときに前記少なくとも加熱アセンブリとウエハ形状の物品との間に設置される、装置。
【請求項１２】
請求項１１に記載の装置であって、
前記板は、石英またはサファイア製である、装置。
【請求項１３】
請求項１に記載の装置であって、
前記少なくとも５の個々に制御可能な放射加熱素子群の各々は、前記回転チャック上に設置されるときに、少なくとも２Ｗ／ｃｍ2の電力強度をウエハ形状の物品に印加できる、装置。
【請求項１４】
請求項１に記載の装置であって、
前記少なくとも５の個々に制御可能な放射加熱素子群の各々は、前記回転チャック上に設置されるときに、少なくとも４Ｗ／ｃｍ2の電力強度をウエハ形状の物品に印加できる、装置。
【請求項１５】
請求項１に記載の装置であって、
前記少なくとも５の個々に制御可能な放射加熱素子群は、前記回転チャックの回転軸に対して同心円状に配置される、装置。
【請求項１６】
請求項１に記載の装置であって、
前記制御装置は、前記少なくとも５の個々に制御可能な群の１つと軸方向に並んでいる前記液体ディスペンサの前記放出点に応じて、全電力を前記少なくとも５の個々に制御可能な群の前記１つに供給するように構成される、装置。
【請求項１７】
請求項１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群の別の１つに、前記全電力より少ない内部中間電力を供給するように構成される、装置。
【請求項１８】
請求項１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向外向きである前記少なくとも５の個々に制御可能な群の別の１つに、前記全電力より少ない外部中間電力を供給するように構成される、装置。
【請求項１９】
請求項１８に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群のさらに別の１つに、前記全電力より少ない内部中間電力を供給するように構成され、
前記外部中間電力は、前記内部中間電力より大きい、装置。
【請求項２０】
請求項１に記載の装置であって、
前記加熱アセンブリは、前記所定の直径のウエハ形状の物品と実質的に同一の広がりを持つ発光ダイオードのアレイを備える、装置。
【請求項２１】
請求項１に記載の装置であって、
前記回転チャックは、中央固定支柱を取り囲む回転可能なチャック本体を備え、
前記加熱アセンブリは、前記中央固定支柱の上端に取り付けられる、装置。
【手続補正２】
【補正対象書類名】明細書
【補正対象項目名】００１５
【補正方法】変更
【補正の内容】
【００１５】
本発明による装置の好ましい実施形態では、放射加熱素子によって放出された放射に対して透過的な板は、回転チャックとの回転のために取り付けられ、回転チャック上に設置されるときに加熱アセンブリとウエハ形状の物品との間に設置される。
【手続補正３】
【補正対象書類名】明細書
【補正対象項目名】００３２
【補正方法】変更
【補正の内容】
【００３２】
図２は、その発見を実施するように設計された装置の第１の実施形態を示し、回転チャック１０が、所定の直径（例えば、３００ｍｍまたは４５０ｍｍ）のウエハＷを保持して回転させるように設計されている。ウエハＷは、本実施形態では６個ある円形列の把持ピン１６によって保持される。ピン１６は、石英またはサファイア製の透明板２５の開口部を貫通する。板２５は、ねじ２６によってチャック１０に固定され、チャック１０と共に回転する。ウエハＷがチャック上に設置されるときに、ウエハの下面が板２５と平行になり、そこからわずかな隙間をもって離間するように、板２５の上方に保持される。
【手続補正４】
【補正対象書類名】明細書
【補正対象項目名】００５２
【補正方法】変更
【補正の内容】
【００５２】
本発明が、その様々な好ましい実施形態と関連して説明されてきたが、それらの実施形態は、本発明を例証するためだけに提供されていることと、本発明がそれらの実施形態に限定されるのではなく、むしろ添付の特許請求の真の範囲と精神によって包含されることを理解されたい。本発明は以下の適用例としても実現できる。
［適用例１］
ウエハ形状の物品を処理するための装置であって、
所定の直径のウエハ形状の物品をその上に保持するように適合された回転チャックと、
前記回転チャック上に設置されるときにウエハ形状の物品に面する加熱アセンブリであって、各々が前記回転チャックのより中央領域から前記回転チャックのより周辺領域に広がるそれぞれ異なる区域を占有する少なくとも５の個々に制御可能な群の間に分配された放射加熱素子のアレイを備える、加熱アセンブリと、
ウエハ形状の物品の表面上に液体を吐出するように設置され、前記回転チャック上に設置されるときに前記加熱アセンブリから離れて面する液体ディスペンサであって、放出点を前記回転チャックのより中央領域から前記回転チャックのより周辺領域に移動させるように構成された１つ以上の分注口を備える、液体ディスペンサと、
前記液体ディスペンサの前記放出点の位置に基づいて、前記少なくとも５の個々に制御可能な放射加熱素子群の各々に供給される電力を制御する制御装置と、
を備える、装置。
［適用例２］
適用例１に記載の装置であって、
前記少なくとも５の個々に制御可能な放射加熱素子群は、少なくとも１０の個々に制御可能な放射加熱素子群を備える、装置。
［適用例３］
適用例１に記載の装置であって、
前記少なくとも５の個々に制御可能な放射加熱素子群は、少なくとも１５の個々に制御可能な放射加熱素子群を備える、装置。
［適用例４］
適用例１に記載の装置であって、
前記少なくとも５の個々に制御可能な放射加熱素子群は、少なくとも２０の個々に制御可能な放射加熱素子群を備える、装置。
［適用例５］
適用例１に記載の装置であって、
前記放射加熱素子は、ＬＥＤ加熱素子である、装置。
［適用例６］
適用例５に記載の装置であって、
前記ＬＥＤ加熱素子は、３８０ｎｍから６５０ｎｍの波長範囲の最大強度を有する放射を放出する、装置。
［適用例７］
適用例５に記載の装置であって、
前記ＬＥＤ加熱素子は、３８０ｎｍから６５０ｎｍの波長範囲の放射を放出する、装置。
［適用例８］
適用例１に記載の装置であって、
前記加熱アセンブリは、前記チャック上に保持されたウエハ形状の物品を片側のみから前記ウエハ形状の物品に接触することなく加熱するように、前記チャックに対して設置される、装置。
［適用例９］
適用例１に記載の装置であって、
前記加熱アセンブリは、前記回転チャックを覆い、前記回転チャックと、前記回転チャックに取り付けられるときに前記回転チャックに面するウエハ形状の物品の表面との間に設置される、装置。
［適用例１０］
適用例９に記載の装置であって、
前記液体ディスペンサは、前記回転チャックに対して前記回転チャックのより中央領域から前記回転チャックのより周辺領域に移動可能なアームを備える、装置。
［適用例１１］
適用例１に記載の装置であって、さらに、
前記放射加熱素子によって放出された放射に対して透過的な板を備え、
前記板は、前記スピンチャックとの回転のために取り付けられ、前記スピンチャック上に設置されるときに前記少なくとも加熱アセンブリとウエハ形状の物品との間に設置される、装置。
［適用例１２］
適用例１１に記載の装置であって、
前記板は、石英またはサファイア製である、装置。
［適用例１３］
適用例１に記載の装置であって、
前記少なくとも５の個々に制御可能な放射加熱素子群の各々は、前記回転チャック上に設置されるときに、少なくとも２Ｗ／ｃｍ2の電力強度をウエハ形状の物品に印加できる、装置。
［適用例１４］
適用例１に記載の装置であって、
前記少なくとも５の個々に制御可能な放射加熱素子群の各々は、前記回転チャック上に設置されるときに、少なくとも４Ｗ／ｃｍ2の電力強度をウエハ形状の物品に印加できる、装置。
［適用例１５］
適用例１に記載の装置であって、
前記少なくとも５の個々に制御可能な放射加熱素子群は、前記回転チャックの回転軸に対して同心円状に配置される、装置。
［適用例１６］
適用例１に記載の装置であって、
前記制御装置は、前記少なくとも５の個々に制御可能な群の１つと軸方向に並んでいる前記液体ディスペンサの前記放出点に応じて、全電力を前記少なくとも５の個々に制御可能な群の前記１つに供給するように構成される、装置。
［適用例１７］
適用例１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群の別の１つに、前記全電力より少ない内部中間電力を供給するように構成される、装置。
［適用例１８］
適用例１６に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向外向きである前記少なくとも５の個々に制御可能な群の別の１つに、前記全電力より少ない外部中間電力を供給するように構成される、装置。
［適用例１９］
適用例１８に記載の装置であって、
前記制御装置は、前記少なくとも５の個々に制御可能な群の前記１つと軸方向に並んでいる前記液体ディスペンサの前記放出点に応じて、前記少なくとも５の個々に制御可能な群の前記１つに隣接して半径方向内向きである前記少なくとも５の個々に制御可能な群のさらに別の１つに、前記全電力より少ない内部中間電力を供給するように構成され、
前記外部中間電力は、前記内部中間電力より大きい、装置。
［適用例２０］
適用例１に記載の装置であって、
前記加熱アセンブリは、前記所定の直径のウエハ形状の物品と実質的に同一の広がりを持つ発光ダイオードのアレイを備える、装置。
［適用例２１］
適用例１に記載の装置であって、
前記回転チャックは、中央固定支柱を取り囲む回転可能なチャック本体を備え、
前記加熱アセンブリは、前記中央固定支柱の上端に取り付けられる、装置。
【外国語明細書】
2017224807000001.pdf